(57)【要約】      （修正有）【課題】異なる趣味的スタイルに容易に変換することができるコップ蓋を提供する。【解決手段】蓋体２０と装飾カバー１０とを含む。蓋体は、少なくとも一つの結合槽２３が設けられた蓋板を有する。装飾カバーは、蓋板に着脱可能に設けられ、頂面１１と底面１２とを有し、頂面には少なくとも一つの装飾物１１が設けられ、底面には少なくとも一つの結合脚１２２が下方へ延在し、結合脚は、蓋体の結合槽内に着脱可能に貫通結合する。【選択図】図１
0003177760.tif 000002
【実用新案登録請求の範囲】
【請求項１】
蓋板と前記蓋板の周縁から下方へ延在する下蓋縁とを有し、前記蓋板が上表面と下表面とを有し、前記下表面と前記下蓋縁との間に収容空間が形成され、前記蓋板の上に少なくとも一つの結合槽が設けられ、前記結合槽が前記蓋板に貫通しかつ入口段と位置制限段とを有する蓋体と、
前記蓋体の蓋板上に着脱可能に設けられ、頂面と底面とを有し、前記頂面には少なくとも一つの装飾物が設けられ、底面には少なくとも一つの結合脚が下方へ延在し、前記結合脚が前記結合槽内に貫通し、前記結合脚の底端が前記収容空間に突入し、前記結合脚が前記結合槽の入口段内に位置した場合に、前記蓋体と分離可能であり、前記結合脚を前記結合槽の位置制限段内に移動させるように回転された場合に、前記蓋体に結合される装飾カバーと、
を備えることを特徴とするコップ蓋。
【請求項２】
前記結合槽の入口段の幅は、前記位置制限段の幅よりも大きく、前記位置制限段の底部には係合唇が形成され、前記結合脚の底端にはフック部が形成されており、前記装飾カバーの結合脚が前記結合槽の位置制限段に移動した場合には、前記結合脚のフック部が前記結合槽の係合唇に結合されることを特徴とする請求項１に記載のコップ蓋。
【請求項３】
前記蓋板には２つの結合槽が設けられ、前記装飾カバーには２つの結合脚が設けられ、それらの結合脚は、対応する結合槽に着脱可能に結合されることを特徴とする請求項２に記載のコップ蓋。
【請求項４】
前記装飾カバーの頂面は、突起弧形となっており、前記装飾カバーの底面は、内凹状となっていることを特徴とする請求項１に記載のコップ蓋。
【請求項５】
前記蓋体は、前記蓋板の周縁から上方へ延在する上蓋縁をさらに有することを特徴とする請求項１に記載のコップ蓋。
【考案の詳細な説明】
【技術分野】
【０００１】
本考案は、コップ蓋に関し、特にコップの頂部に被覆するコップ蓋に関するものである。
【背景技術】
【０００２】
サラリーマンのストレス解消小物に関して、例えばソーラー小人形、サボテン小盆栽、又は水コップのような小物器具等は、現在のオフィスにおいて極めて重要な位置を占めている。特に、水コップは、日常生活の中でよく見かける物品であり、生活圧力の変換又は趣味的用品のポジションにおいても一定の役割を果たしている。従って、いつでもどこでも手に入る水コップ又はコップの中において、異なる趣味性を容易に作り出すことは、本考案の目標である。
【０００３】
さらに、あるユーザは、通常、自身の好みに応じて発光／発声可能なコップ蓋を購入することがある。このようなコップ蓋には電池が装着されており、電池の交換は、ユーザに迷惑を掛けることがある。従って、コップ蓋に趣味性と交換の容易性とを兼ね持たせることも、本考案の目標である。
【考案の概要】
【考案が解決しようとする課題】
【０００４】
そこで、本考案は、コップの頂部に被覆し、着脱可能な装飾カバーを有し、前記装飾カバーが異なる造形を有することで、異なる趣味的スタイルに容易に変換することができるコップ蓋を提供することを目的とする。
【課題を解決するための手段】
【０００５】
本考案に係るコップ蓋は、蓋体と装飾カバーとを含む。前記蓋体は、少なくとも一つの結合槽が設けられた蓋板を有する。前記装飾カバーは、前記蓋板に着脱可能に設けられ、頂面と底面とを有し、前記頂面には少なくとも一つの装飾物が設けられ、底面には少なくとも一つの結合脚が下方へ延在し、前記結合脚は、前記蓋体の結合槽内に着脱可能に貫通結合する。前記装飾カバーの装飾物が異なる造形となることで、前記コップ蓋は、異なる趣味的スタイルに容易に変換することができる。
【考案の効果】
【０００６】
本考案に係るコップ蓋によれば、ユーザは、自分の必要に応じてコップ蓋を異なる造形に変換することができ、前記コップ蓋は、容易に着脱かつ洗浄可能な実施効果を有する。
【図面の簡単な説明】
【０００７】
【図１】本考案に係るコップ蓋の分解図を示す。
【図２】図１のコップ蓋の立体図を示す。
【図３】図２の３−３線に沿った断面図を示す。
【図４】図１の装飾カバーが蓋体と固定される前の模式図を示す。
【図５】図４の装飾カバーを蓋体と結合するように回転させる模式図を示す。
【図６】本考案に係る他の実施例のコップ蓋の局所断面図を示す。
【図７】本考案に係る装飾カバーが交換可能な模式図を示す。
【考案を実施するための形態】
【０００８】
図１ないし図５は、本考案に係る実施例に基づいて構成されるコップ蓋を示す。このコップ蓋は、蓋体２０と蓋体２０に着脱可能に結合された装飾カバー１０とを含む。蓋体２０は、円状蓋板２１と、蓋板２１の周縁から下方へ延在する下蓋縁２２と、蓋板２１の周縁から上方へ延在する上蓋縁２４とを有する。蓋板２１は、上表面２１１と下表面２１２とを有する。下表面２１２と下蓋縁２２との間には収容空間２１３が形成されている。さらに、蓋板２１の上には、弧形となる少なくとも一つの結合槽２３が設けられており、この実施例において、蓋板２１の上には２つの結合槽２３が設けられている。それらの結合槽２３は、  蓋板２１に貫通しかつ入口段２３１と位置制限段２３２とを含み、入口段２３１の幅は、位置制限段２３２よりも大きく、位置制限段２３２の底部には斜めとなる係合唇２３２１が設けられている。さらに、蓋板２１の上表面２１１には、円状凸縁２１０が設けられており、凸縁２１０は、上蓋縁２４と結合槽２３との間に位置している。
【０００９】
装飾カバー１０は、円カバー状であり、突出する弧形頂面１１と内方へ凹む底面１２とを有し、頂面１１の上には少なくとも一つの装飾物１１１が設けられており、この実施例において、頂面１１の上には蛙の目と類似する一対の装飾物１１１が設けられることで、装飾カバー１０は、蛙のような趣味的スタイルを呈している。図６の実施例において、頂面１１には鹿耳と類似する一対の装飾物１１１が設けられることで、装飾カバー１０は、鹿のような趣味的スタイルを呈している。さらに、装飾カバー１０の底面１２には、少なくとも一つの結合脚１２２が下方へ延在しており、この実施例において、装飾カバー１０は、２つの結合脚１２２を有し、それらの結合脚１２２の底端には、フック部１２１が形成されている。
【００１０】
本考案に係るコップ蓋は、組み立てられる場合には、装飾カバー１０を蓋体２０の蓋板２１に載置させ凸縁２１０の外側に位置させるとともに各結合脚１２２を結合槽２３に対応する入口段２３１内に貫通させる（図４参照）ことで、各結合脚１２２のフック部１２１を収容空間２１３に突入させ、そして、装飾カバー１０を回転させ各結合脚１２２を結合槽２３に対応する位置制限段２３２内に移動させる（図５参照）ことで、各結合脚１２２のフック部１２１が結合槽２３に対応する係合唇２３２１に結合し位置決められる。装飾カバー１０を取り外す場合には、装飾カバー１０を逆方向へ回転させればよいため、使用上は極めて便利である。
【００１１】
本考案に係る装飾物１１１は、異なる造形であってよく、例えば動物の造形、漫画造形又はその他の面白い造形であってよい。本考案に係る装飾カバー１０は、蓋体２０と着脱可能に組み合わせることができる。従って、本考案に係るコップ蓋は、異なる造形である装飾カバー１０（図７参照）を交換することにより、異なる趣味的スタイルを得ることができ、本考案に係るコップ蓋は、コップに使用されたた後に、ストレス解消小物となることができる。また、装飾カバー１０を容易に交換できるため、コップ蓋は、容易に取り外し洗浄可能な利点を有し、コップ蓋が発光又は発声を有するコップ蓋として使用された場合には、ユーザは、コップ蓋内部の電池を容易に交換することができる。
【００１２】
上記のように、これらの実施の形態は本考案の好ましい実施例のみであり、本考案の特許請求の範囲に基づいてなされる等価の変更や修飾は、本考案の技術範囲に入るものである。
【００１３】
以上のように、本考案では、蓋板と前記蓋板の周縁から下方へ延在する下蓋縁とを有し、前記蓋板が上表面と下表面とを有し、前記下表面と前記下蓋縁との間に収容空間が形成され、前記蓋板の上に少なくとも一つの結合槽が設けられ、前記結合槽が前記蓋板に貫通しかつ入口段と位置制限段とを有する蓋体と、前記蓋体の蓋板上に着脱可能に設けられ、頂面と底面とを有し、前記頂面には少なくとも一つの装飾物が設けられ、底面には少なくとも一つの結合脚が下方へ延在し、前記結合脚が前記結合槽内に貫通し、前記結合脚の底端が前記収容空間に突入し、前記結合脚が前記結合槽の入口段内に位置した場合に、前記蓋体と分離可能であり、前記結合脚を前記結合槽の位置制限段内に移動させるように回転された場合に、前記蓋体に結合される装飾カバーと、を備えることを特徴とするコップ蓋とするものである。
【００１４】
また、前記結合槽の入口段の幅は、前記位置制限段の幅よりも大きく、前記位置制限段の底部には係合唇が形成され、前記結合脚の底端にはフック部が形成されており、前記装飾カバーの結合脚が前記結合槽の位置制限段に移動した場合には、前記結合脚のフック部が前記結合槽の係合唇に結合されるものとする。
【００１５】
また、前記蓋板には２つの結合槽が設けられ、前記装飾カバーには２つの結合脚が設けられ、それらの結合脚は、対応する結合槽に着脱可能に結合されるものとする。
【００１６】
また、前記装飾カバーの頂面は、突起弧形となっており、前記装飾カバーの底面は、内凹状となっているものとする。
【００１７】
また、前記蓋体は、前記蓋板の周縁から上方へ延在する上蓋縁をさらに有するものとする。
【産業上の利用可能性】
【００１８】
本考案に係るコップ蓋によれば、ユーザは、自分の必要に応じてコップ蓋を異なる造形に変換することができ、前記コップ蓋は、容易に着脱かつ洗浄可能な実施効果を有する。
【符号の説明】
【００１９】
１０  装飾カバー
１１  頂面
１１１  装飾物
１２  底面
１２１  フック部
１２２  結合脚
２０  蓋体
２１  蓋板
２１０  凸縁
２１１  上表面
２１２  下表面
２１３  収容空間
２２  下蓋縁
２３  結合槽
２３１  入口段
２３２  位置制限段
２３２１  係合唇
２４  上蓋縁
【図１】
0003177760.tif 000003
【図２】
0003177760.tif 000004
【図３】
0003177760.tif 000005
【図４】
0003177760.tif 000006
【図５】
0003177760.tif 000007
【図６】
0003177760.tif 000008
【図７】
0003177760.tif 000009